(57)【要約】【課題】眼鏡の樹脂製部品において、人体に安全なマイナスイオン放射物質を含有し、該マイナスイオン放射物質の平均粒径を、合成樹脂と円滑に混合できるような平均粒径とした樹脂製部品を提供する。【解決手段】眼鏡の樹脂製部品に含まれるマイナスイオン放射物質を、平均粒径０．１μ以下の微粒子状とした希土鉱石♯５１５とし、かつ、該希土鉱石の合成樹脂に対する混合比を、トリウムの含有量に換算した場合に０．１〜１．０重量パーセントとなるように調整する。【選択図】        図１
2005148607.tif 000002
【特許請求の範囲】
【請求項１】
眼鏡の樹脂製部品において、該樹脂製部品の全部又は一部を、合成樹脂とマイナスイオン放射物質の混合物を熱間成型したものとし、かつ上記マイナスイオン放射物質を平均粒径０．１μ以下の微粒子状とした希土鉱石♯５１５とし、かつ、該希土鉱石♯５１５の上記合成樹脂に対する混合比を自然放射性元素のトリウムの含有量に換算した場合に０．１〜１．０重量％となるように調整したことを特徴とする眼鏡の樹脂製部品。
【発明の詳細な説明】
【技術分野】
【０００１】
本発明は、眼鏡の樹脂製部品に関するものであり、さらに詳しくは、眼鏡の樹脂製部品において、該樹脂製部品の全部又は一部を、合成樹脂とマイナスイオン放射物質の混合物を熱間成型したものとし、かつ上記マイナスイオン放射物質を平均粒径０．１μ以下の微粒子状とした希土鉱石♯５１５とし、かつ、該希土鉱石♯５１５の上記合成樹脂に対する混合比を自然放射性元素のトリウムの含有量に換算した場合に０．１〜１．０重量％となるように調整したことを特徴とする眼鏡の樹脂製部品に関するものである。
【背景技術】
【０００２】
従来、疲労回復や健康増進のために、マイナスイオン放射物質が日常の様々な器具において用いられており、マイナスイオンの疲労回復や健康増進に与える効果は、多くの人々によって確認されているといって良い状況にある。眼鏡の分野においても、これらの効果は顕著であり、眼鏡の樹脂製部品にマイナスイオン放射物質を用いた例としては、特許文献１の「マイナスイオン放射メガネ及びその部品」があげられる。
【特許文献１】特開２００３−２３０６３４
【発明の開示】
【発明が解決しようとする課題】
【０００３】
上記特許文献１の「マイナスイオン放射メガネ及びその部品」は、以下に挙げるような問題点を有するものである。
１）上記特許文献１の「マイナスイオン放射メガネ及びその部品」は、すべてモナザイトを混合している。しかしながら、モナザイトは、その使用にあたっては、事前に文部科学省の原子力安全課に届出が必要な放射性物質であって、取り扱いや加工にも慎重な配慮が必要であり、眼鏡の樹脂製部品のように身体に直接触れる装着品に安易に使用できるような物質であるとはいえない。
【０００４】
モナザイトは酸化トリウムの含有量が多く、８００ベクレル（Ｂｑ／ｇ）以上のγ線を放射する放射性物質であって、これは、安全上問題がないとされるγ線の基準値の３７０ベクレル（Ｂｑ／ｇ）をはるかに超えている。前記特許文献１の「マイナスイオン放射メガネ及びその部品」においては、モナザイトの混合比を、「自然放射性元素の酸化トリウムの含有量として換算して０．３〜２．０重量％以下に調整」するとしているが、モナザイトは通常酸化トリウムを４〜９％含有しているので、たとえその混合比を上記の割合にしたとしても、モナザイトが含まれる部分からは基準値の３７０ベクレル（Ｂｑ／ｇ）をはるかに超えるγ線が放射されていることになり、人体にとって極めて危険な状態にあることには変わりがない。
【０００５】
２）前記特許文献１の「マイナスイオン放射メガネ及びその部品」においては、マイナスイオン放射パウダーを得る手段として、セラミックイオン放射パウダーとモナザイトのパウダーを混合するという方法を採っている。しかしながら、モナザイトのパウダーについては特定可能であるが、セラミックイオン放射パウダーについては請求項には特定のための記載が一切なく、実施例の中で、アルミナ以下の元素名や分子名が羅列されているのみで、物質の特定も分量の特定もなされておらず、発明の内容が当業者に明らかな程度に開示されているとは言い難いものである。
【０００６】
３）前記特許文献１の「マイナスイオン放射メガネ及びその部品」においては、セラミックイオン放射パウダーとモナザイトのパウダーの混合物の平均粒子径を１０μ以下としているが、セラミックイオン放射パウダーあるいはモナザイトのパウダーの平均粒子径が０．１μを越えた場合には、合成樹脂に円滑に混合することは技術的に不可能となる。したがって、前記特許文献１の「マイナスイオン放射メガネ及びその部品」において、セラミックイオン放射パウダーあるいはモナザイトのパウダーの平均粒子径が０．１μを越えて１０μまでの範囲は、事実上は眼鏡の樹脂部品の製造には用いることができないものである。
【０００７】
したがって、本発明においては、次に示す３つの課題を、解決すべき課題として掲げた。
＜課題１＞
マイナスイオン放射物質として、モナザイトのような危険な物質を一切使用せず、γ線の放射量を基準値の３７０ベクレル（Ｂｑ／ｇ）以下に抑える。
＜課題２＞
マイナスイオン放射物質を、具体的に、当業者に明らかな程度に特定記載する。
＜課題３＞
マイナスイオン放射物質の平均粒径を０．１μ以下とする。
【課題を解決するための手段】
【０００８】
本発明は、上記課題を解決する手段として、眼鏡の樹脂製部品において、該樹脂製部品の全部又は一部を、合成樹脂とマイナスイオン放射物質の混合物を熱間成型したものとし、かつ上記マイナスイオン放射物質を平均粒径０．１μ以下の微粒子状とした希土鉱石♯５１５とし、かつ、該希土鉱石♯５１５の上記合成樹脂に対する混合比を自然放射性元素のトリウムの含有量に換算した場合に０．１〜１．０重量％となるように調整したことを特徴とする眼鏡の樹脂製部品を提供する。
【発明の効果】
【０００９】
本発明は、マイナスイオン放射物質として、γ線の放射量が基準値の３７０ベクレル（Ｂｑ／ｇ）以下である希土鉱石♯５１５を使用しているので、人体に安全である。また、使用に際しては、文部科学省の原子力安全課に事前の届出をするという必要もない。
【００１０】
本発明は、マイナスイオン放射物質として、その成分が完全に特定されている希土鉱石♯５１５を使用しているので、当業者が本発明を実際に製造せんと試みた場合においても、いかなる障害も存せず、製造することが可能である。
【００１１】
本発明は、マイナスイオン放射物質の平均粒径を０．１μ以下としているので、合成樹脂との混合が極めて円滑に行われるものである。  
【００１２】
本発明の眼鏡の樹脂部品に使用しているマイナスイオン放射物質としての希土鉱石♯５１５は、常温で既にマイナスイオンを発生するという特性を有している。従って、眼鏡をかけてすぐにマイナスイオンによる諸効果を得られるものである。
【００１３】
本発明の実施例によれば、眼鏡のパッド部分を本発明の樹脂製部品とした場合、試験結果により、以下のような効果が確認された。
・   目が軽く感じる。
・   目が疲れなくなった。
・   視界が明るくなった。
・   すぐに鼻づまりがなくなった。
・   ６ヶ月間、花粉症がおこらなかった。
・   目が充血しなくなった。
・   涙目が良くなった。
・   鼻の通りが良く、呼吸が楽になった。
・   頭痛がなくなった。
・   鼻水、くしゃみが完全に止まった。
・   長時間パソコンを見ても、目が疲れなくなった。
・   着用後すぐに文字がはっきり見えるようになった。
【発明を実施するための最良の形態】
【００１４】
本発明を実施するための最良の形態を、以下に、図面を参照しながら詳細に説明する。
【実施例１】
【００１５】
＜実施例１の構成＞
実施例１の構成につき、図面を参照しながら詳細に説明する。図１ａは、本発明の実施例１の眼鏡Ｇ１の外観斜視図であり、１はフロント、２は連結部、３ａ、３ｂは鼻パッド、４ａ、４ｂはツル、５ａ、５ｂは耳掛部、Ｒ１、Ｒ２はレンズである。眼鏡Ｇ１においては、フロント１、連結部２、ツル４ａ，４ｂは金属製であり、鼻パッド３ａ，３ｂの樹脂部分に本発明の樹脂部品を使用している。耳掛部５ａ、５ｂは通常の合成樹脂製である。
【００１６】
鼻パッド３ａ，３ｂの詳細を図１ｂ、図１ｃに示す。図１ｂに示す鼻パッド３ａは細長い皿状の樹脂部分３１ａに、フロント１に装着するための金属製の留具３２ａが嵌着されている。図１ｃに示す鼻パッド３ｂも同一構造で、細長い皿状の樹脂部分３１ｂに、フロント１に装着するための金属製の留具３２ｂが嵌着されている。実施例の眼鏡Ｇ１においては、鼻パッド３ａの樹脂部分３１ａ、及び鼻パッド３ｂの樹脂部分３１ｂが、本発明の樹脂製部品となっている。
【００１７】
鼻パッド３ａの樹脂部分３１ａ、及び鼻パッド３ｂの樹脂部分３１ｂの製造工程は以下の通りである。まず、希土鉱石♯５１５をミル（図示せず）にかけて粉砕し、希土鉱石♯５１５の荒い粉末を得る。この希土鉱石♯５１５の荒い粉末を一旦焼成し、焼成した固化物を再びミル（図示せず）にかけて粉砕する。このような工程を繰り返すたびに希土鉱石♯５１５の粉末の平均粒径は細かくなっていく。希土鉱石♯５１５の粉末の平均粒径が１．０μ程度となった段階で、これを焼成して固化物とし、該固化物を、液体中でミル（図示せず）にかけて粉砕する。この工程を繰り返して、希土鉱石♯５１５の粉末の平均粒径が０．１μとなった段階で粉砕工程を完了する。
【００１８】
このようにして得られた平均粒径が０．１μの希土鉱石♯５１５の微粒粉末を、溶融させた合成樹脂に混合するが、その希土鉱石♯５１５と合成樹脂の混合比率は、希土鉱石♯５１５の合成樹脂に対する割合が、希土鉱石♯５１５を自然放射性元素のトリウムの含有量に換算した場合に、０．１〜１．０重量パーセント、望ましくは、０．１〜０．２９重量パーセントとなるようにする。なお、上記合成樹脂としては、シリコン混和物やエチレン−メタクリル酸共重合体等を用いることが可能である。また、希土鉱石♯５１５の成分は、表１に示す通りである。なお、上記シリコン混和物としては、ポリアルキルアルケニルシロキサンと白金化合物の混和物、あるいはポリアルキルアルケニルシロキサンとポリアルキル水素シロキサンと反応調節剤の混和物が挙げられる。
【００１９】
【表１】
2005148607.tif 000003
【００２０】
次に、希土鉱石♯５１５と上記合成樹脂の混合物を熱間成型して樹脂部分３１ａ、３１ｂとなし、樹脂部分３１ａに留具３２ａを嵌着し、樹脂部分３１ｂに留具３２ｂを嵌着して鼻パッド３ａ、３ｂを得る。
【００２１】
＜実施例１の作用＞
実施例１の樹脂部分３１ａ、３１ｂは、含有されている希土鉱石♯５１５のマイナスイオン放射作用により、眼鏡Ｇ１を装着した人に顕著な健康状態の改善作用を齎すが、その作用の代表的なものを挙げれば、以下の通りである。すなわち、白内障、花粉症、鼻詰まり、鼻炎、眼精疲労、眼底出血等の疾病による各種の症状が大幅に改善される。また、特に疾病がない場合においても、眼鏡Ｇ１の装着により、目が疲れない、あるいは呼吸が楽になる等の良好な作用が見られる。
【００２２】
希土鉱石♯５１５は常温でマイナスイオン放射作用を有するので、上記作用は、眼鏡Ｇ１を装着すると同時に生ずるものであり、上記作用の確実性は、２０名の試用者による実験の結果、すでに確認されている。その試用実験の結果を、表２、表３に掲げる。
【００２３】
【表２】
2005148607.tif 000004
【００２４】
【表３】
2005148607.tif 000005
【実施例２】
【００２５】
＜実施例２の構成＞
実施例２の眼鏡Ｇ２は、図２に見るように、鼻パッド３ａ、３ｂと耳掛部６ａ、６ｂに、本発明の樹脂製部品を使用したものである。フロント１、連結部２、ツル４ａ、４ｂ、レンズＲ１、Ｒ２は実施例１の眼鏡Ｇ１と同一の構成である。また、鼻パッド３ａ、３ｂも、実施例１の鼻パッド３ａ、３ｂと形態、材質共同一の構成である。
【００２６】
耳掛部６ａ、６ｂは、実施例１の耳掛部５ａ、５ｂと形態は同一であるが、材質が異なり、材質は実施例１の鼻パッド３ａ、３ｂ（図１ａ、図１ｂ）の樹脂部分３１ａ、３１ｂと同一である。すなわち、平均粒径を０．１μ以下の微粒子状とした希土鉱石♯５１５を合成樹脂と混合したもので、熱間成型により成型される。また、希土鉱石♯５１５と合成樹脂の混合比率も実施例１の鼻パッド３ａ、３ｂ（図１ａ、図１ｂ）の樹脂部分３１ａ、３１ｂと同一である。
【００２７】
＜実施例２の作用＞
実施例２の作用は、実施例１の作用と略同一であるが、鼻パッド３ａ、３ｂのみならず耳掛部６ａ、６ｂにもマイナスイオン放射物質が含有されているので、耳炎や頭痛等、耳部、頭部の諸症状に対する改善作用も有するものである。また、希土鉱石♯５１５は常温でマイナスイオン放射作用を有するので、上記作用は、眼鏡Ｇ２を装着すると同時に生ずるものである。
【実施例３】
【００２８】
＜実施例３の構成＞
実施例３の眼鏡Ｇ３は、図３に見るように、レンズＲ３、Ｒ４以外のすべての部品、すなわち、フロント１０、連結部２０、鼻パッド３０ａ、３０ｂ、ツル４０ａ、４０ｂに、本発明の樹脂製部品を使用したものであり、フロント１０、連結部２０、鼻パッド３０ａ、３０ｂ、ツル４０ａ、４０ｂの材質は実施例１の鼻パッド３ａ、３ｂ（図１ａ、図１ｂ）の樹脂部分３１ａ、３１ｂと同一である。すなわち、平均粒径を０．１μ以下の微粒子状とした希土鉱石♯５１５を合成樹脂と混合したもので、熱間成型により成型される。また、希土鉱石♯５１５と合成樹脂の混合比率も実施例１の鼻パッド３ａ、３ｂ（図１ａ、図１ｂ）の樹脂部分３１ａ、３１ｂと同一である。
【００２９】
＜実施例３の作用＞
実施例３の作用は、実施例２の作用と略同一であるが、レンズＲ３、Ｒ４以外のすべての部品にマイナスイオン放射物質が含有されているので、眼部、鼻部、耳部、頭部等、顔面から頭部にかけてのすべての部分の諸症状に対する改善作用を有するものである。また、希土鉱石♯５１５は常温でマイナスイオン放射作用を有するので、上記作用は、眼鏡Ｇ３を装着すると同時に生ずるものである。
【図面の簡単な説明】
【００３０】
【図１】（ａ）本発明の実施例１の樹脂製部品を用いた眼鏡Ｇ１の外観斜視図である。（ｂ）本発明の実施例１の樹脂製部品の一部である鼻パッド３ａの外観斜視図である。（ｃ）本発明の実施例１の樹脂製部品の一部である鼻パッド３ｂの外観斜視図である。
【図２】本発明の実施例２の樹脂製部品を用いた眼鏡Ｇ２の外観斜視図である。
【図３】本発明の実施例３の樹脂製部品を用いた眼鏡Ｇ３の外観斜視図である。
【符号の説明】
【００３１】
１      フロント
２      連結部
３ａ    鼻パッド
３ｂ    鼻パッド
４ａ    ツル
４ｂ    ツル
５ａ    耳掛部
５ｂ    耳掛部
６ａ    耳掛部
６ｂ    耳掛部
１０    フロント
２０    連結部
３０ａ  鼻パッド
３０ｂ  鼻パッド
３１ａ  樹脂部分
３１ｂ  樹脂部分
３２ａ  留具
３２ｂ  留具
４０ａ  ツル
４０ｂ  ツル
Ｇ１    眼鏡
Ｇ２    眼鏡
Ｇ３    眼鏡
Ｒ１    レンズ
Ｒ２    レンズ
Ｒ３    レンズ
Ｒ４    レンズ
【図１】
2005148607.tif 000006
【図２】
2005148607.tif 000007
【図３】
2005148607.tif 000008